(57)【要約】【課題】機械的な駆動装置を省略できるため、動作の信頼性が保障され、維持補修が容易となり、一つの装置で広い領域に対して効率的な監視が可能となり、コンパクトな構造により製造コストが低減され、設置が容易となるカメラモジュール及びこれを備えた監視装置を提供する。【解決手段】本発明による監視装置は、監視領域中の所望の領域を選択して観察することができる監視装置であって、監視領域中の観察すべき領域のイメージを選択的に提供するカメラモジュールと、カメラモジュールから提供されたイメージを表示するディスプレイ部と、カメラモジュールが観察領域のイメージを提供するように、カメラモジュールに観察領域を指定して提供する制御部と、を含むことを特徴とする。【選択図】図１
2012010338.tif 000002
【特許請求の範囲】
【請求項１】
監視領域中の所望の領域を選択して観察することができる監視装置であって、
前記監視領域中の観察すべき領域のイメージを選択的に提供するカメラモジュールと、
前記カメラモジュールから提供されたイメージを表示するディスプレイ部と、
前記カメラモジュールが前記観察すべき領域のイメージを提供するように、前記カメラモジュールに前記観察すべき領域を指定して提供する制御部と、を含み、
前記カメラモジュールは、
前記監視領域全体をカバーする視野を有するレンズ部と、
前記レンズ部に入射された光を撮像して前記監視領域全体のイメージデータを生成するイメージ撮像部と、
前記全体のイメージデータのうちの出力するイメージデータを選択するデータ選択部と、
を含むことを特徴とする監視装置。
【請求項２】
前記データ選択部は、
前記監視領域中の出力する領域の境界を決定するフレームを設定し、
前記フレームの内部に配置された領域のイメージデータを選択することを特徴とする請求項１に記載の監視装置。
【請求項３】
前記データ選択部は、
前記監視領域で前記フレームの配置を調整できることを特徴とする請求項２に記載の監視装置。
【請求項４】
前記データ選択部は、
前記監視領域で前記フレームの大きさを調整できることを特徴とする請求項２に記載の監視装置。
【請求項５】
前記レンズ部は、広角レンズ（ｗｉｄｅ−ａｎｇｌｅ  ｌｅｎｓ）を含むことを特徴とする請求項１から請求項４までのいずれか１項に記載の監視装置。
【請求項６】
前記カメラモジュールは、前記データ選択部により選択されたイメージデータを出力するデータ出力部をさらに含み、
前記データ選択部は、
前記データ出力部から連続して出力可能なデータサイズに前記出力するイメージデータを選択することを特徴とする請求項１から請求項５までのいずれか１項に記載の監視装置。
【請求項７】
前記制御部は、
前記観察すべき領域が入力される入力部を含むことを特徴とする請求項１から請求項６までのいずれか１項に記載の監視装置。
【請求項８】
撮像領域中の所望の領域のイメージを選択して得ることができるカメラモジュールであって、
前記撮像領域全体をカバーする視野を有するレンズ部と、
前記レンズ部に入射された光を撮像して前記撮像領域全体のイメージデータを生成するイメージ撮像部と、
前記全体のイメージデータのうちの出力するイメージデータを選択するデータ選択部と、
を含むカメラモジュール。
【請求項９】
前記データ選択部は、
前記撮像領域で出力する領域の境界を決定するフレームを設定し、
前記フレームの内部に配置された領域のイメージデータを選択することを特徴とする請求項８に記載のカメラモジュール。
【請求項１０】
前記データ選択部は、
前記撮像領域で前記フレームの配置を調整できることを特徴とする請求項９に記載のカメラモジュール。
【請求項１１】
前記データ選択部は、
前記撮像領域で前記フレームの大きさを調整できることを特徴とする請求項９に記載のカメラモジュール。
【請求項１２】
前記データ選択部により選択されたイメージデータを出力するデータ出力部をさらに含み、
前記データ選択部は、
前記データ出力部から連続して出力可能なデータサイズに前記出力するイメージデータを選択することを特徴とする請求項８から請求項１１までのいずれか１項に記載のカメラモジュール。
【請求項１３】
前記レンズ部は、広角レンズを含むことを特徴とする請求項８から請求項１２までのいずれか１項に記載のカメラモジュール。
【発明の詳細な説明】
【技術分野】
【０００１】
本発明は、カメラモジュール及びこれを備えた監視装置に関する。
【背景技術】
【０００２】
近年、建物の保安や治安のために保安カメラのような監視装置の需要がますます増加している。
【０００３】
ところが、従来の保安カメラの撮影角度は狭く限定されており、所望の領域に対するイメージを得るためには保安カメラを回転させなければならなかった。そして、特定の領域に対する詳細なイメージを得るために保安カメラは、ズーム機能も備えなければならなかった。
【０００４】
これにより、保安カメラには機械的な駆動装置が必要となった。ところが、機械的な駆動装置は故障し易く、いざ必要なときに動作しないおそれがあり、維持補修が困難であるという問題があった。
【０００５】
また、機械的な駆動装置の追加により、保安カメラの構成が複雑になって製造コストが増加し、サイズが大きくなって設置が困難であるという問題があった。
【０００６】
また、保安カメラは狭い視野のため、広い領域を監視するためには複数のカメラが必要となるという問題もあった。
【発明の概要】
【発明が解決しようとする課題】
【０００７】
本発明は、上記のような問題点に鑑みてなされたものであって、故障のおそれが少なくて動作の信頼性が保障され、維持補修が容易であるカメラモジュール及びこれを備えた監視装置を提供することを目的とする。
【０００８】
本発明の他の目的は、一つの装置で広い領域に対して効率よく監視することができるカメラモジュール及びこれを備えた監視装置を提供することにある。
【０００９】
本発明のまた他の目的は、製造コストが安価であり、設置が容易であるカメラモジュール及びこれを備えた監視装置を提供することにある。
【課題を解決するための手段】
【００１０】
本発明の一側面によれば、監視領域中の所望の領域を選択して観察することができる監視装置であって、上記監視領域中の観察すべき領域のイメージを選択的に提供するカメラモジュールと、上記カメラモジュールから提供されたイメージを表示するディスプレイ部と、上記カメラモジュールが上記観察すべき領域のイメージを提供するように、上記カメラモジュールに上記観察すべき領域を指定して提供する制御部と、を含み、上記カメラモジュールは、上記監視領域全体をカバーする視野を有するレンズ部と、上記レンズ部に入射された光を撮像して上記監視領域全体のイメージデータを生成するイメージ撮像部と、上記全体のイメージデータのうち、出力するイメージデータを選択するデータ選択部と、を含むことを特徴とする監視装置が提供される。
【００１１】
上記データ選択部は、上記監視領域で出力する領域の境界を決定するフレームを設定し、上記フレーム内部に配置された領域のイメージデータを選択することができる。
【００１２】
上記データ選択部は、上記監視領域で上記フレームの配置を調整することができる。
【００１３】
上記データ選択部は、上記監視領域で上記フレームの大きさを調整することができる。
【００１４】
上記レンズ部は、広角レンズ（ｗｉｄｅ−ａｎｇｌｅ  ｌｅｎｓ）を含むことができる。
【００１５】
上記カメラモジュールは、上記データ選択部により選択されたイメージデータを出力するデータ出力部をさらに含み、上記データ選択部は、上記データ出力部から連続して出力可能なデータサイズに上記出力するイメージデータを選択することができる。
【００１６】
上記制御部は、上記観察すべき領域が入力される入力部を含むことができる。
【００１７】
また、本発明の他の側面によれば、撮像領域中の所望の領域のイメージを選択して得ることができるカメラモジュールであって、上記撮像領域全体をカバーする視野を有するレンズ部と、上記レンズ部に入射された光を撮像して上記撮像領域全体のイメージデータを生成するイメージ撮像部と、上記全体のイメージデータのうち、出力するイメージデータを選択するデータ選択部と、を含むカメラモジュールが提供される。
【００１８】
上記データ選択部は、上記撮像領域で出力する領域の境界を決定するフレームを設定し、上記フレーム内部に配置された領域のイメージデータを選択することができる。
【００１９】
上記データ選択部は、上記撮像領域で上記フレームの配置を調整することができる。
【００２０】
上記データ選択部は、上記撮像領域で上記フレームの大きさを調整することができる。
【００２１】
上記データ選択部により選択されたイメージデータを出力するデータ出力部をさらに含み、上記データ選択部は、上記データ出力部から連続して出力可能なデータサイズに上記出力するイメージデータを選択することができる。
【００２２】
上記レンズ部は、広角レンズを含むことができる。
【発明の効果】
【００２３】
本発明によれば、監視装置において機械的な駆動装置が省略されることにより、動作の信頼性が保障され、維持補修が容易となる。
【００２４】
また、一つの装置で広い領域に対して効率的な監視が可能となる。
【００２５】
また、コンパクトな構造に構成されて製造コストが低減され、設置が容易となる。
【図面の簡単な説明】
【００２６】
【図１】本発明の一実施例に係る監視装置を示す概念図である。
【図２】本発明の一実施例に係る監視装置のカメラモジュールを示す概念図である。
【図３】本発明の一実施例に係る監視装置のカメラモジュールを示す斜視図である。
【図４】本発明の一実施例に係る監視装置のカメラモジュールを示す分解斜視図である。
【図５】一実施例に係る監視装置の作動を説明するための図面である。
【図６】一実施例に係る監視装置の作動を説明するための図面である。
【発明を実施するための形態】
【００２７】
以下、本発明の実施例を添付図面を参照して詳細に説明する。
【００２８】
図１は、本発明の一実施例に係る監視装置を示す概念図である。
【００２９】
本発明の一実施例に係る監視装置は、監視領域１中の所望の領域を選択して観察することができる装置であって、カメラモジュール１０、ディスプレイ部２０及び制御部３０を含む。
【００３０】
特に、本実施例の監視装置は、機械的な駆動装置を省略できるように、監視領域１中の所望の領域のイメージを選択して得ることができるカメラモジュール１０を備えることを特徴とする。このために、カメラモジュール１０は、レンズ部１２、イメージ撮像部１４及びデータ選択部１６を含む。
【００３１】
図２は、本発明の一実施例に係る監視装置のカメラモジュールを示す概念図であり、図３は、本発明の一実施例に係る監視装置のカメラモジュールを示す斜視図であり、図４は、本発明の一実施例に係る監視装置のカメラモジュールを示す分解斜視図である。
【００３２】
レンズ部１２は、レンズモジュールの撮像領域である監視領域１で発生された光、または反射された光を集めて光学像を結ぶものである。特に、本実施例のレンズ部１２は、監視領域１全体のイメージを得るために、監視領域１全体をカバーする視野、すなわち、画角を有することを特徴とする。
【００３３】
具体的に、本実施例のレンズ部１２は、広角レンズを含むことができる。広角レンズは、同じ距離で撮影しても一般レンズに比べてより広い範囲をとることができる。 これにより、一般のレンズを複数個用いてカバーできる監視領域１を一つの広角レンズでカバーできるようになる。
【００３４】
イメージ撮像部１４は、レンズ部１２に入射された光を撮像して監視領域１全体のイメージデータを生成するものである。すなわち、レンズ部１２により形成された光学像をイメージデータに変換する役割をする。
【００３５】
図４に示すように、本実施例のイメージ撮像部１４は、イメージセンサーを備えて光学像をイメージデータに変換することができる。
【００３６】
このとき、後述するデータ選択部１６で選択された一部領域のデータだけでも高品質のイメージが得られるように、本実施例のイメージセンサーは高解像度のイメージを提供する高画素のイメージセンサーであってもよい。これにより、一つの監視装置でも広い領域に対して効率的に監視することが可能となる。
【００３７】
一方、本実施例のイメージ撮像部１４は、イメージセンサーに入射された光をフィルタリングするために、赤外線（ＩＲ）フィルター１５のような様々なフィルターを備えることができる。
【００３８】
データ選択部１６は、監視領域１全体に対するイメージデータのうち、観察する領域に該当するイメージデータ、すなわち、カメラモジュール１０で出力するイメージデータを選択するものである。
【００３９】
上述したように、レンズ部１２及びイメージ撮像部１４により、監視領域１に対して高解像度の全体イメージを得ることができる。しかし、監視領域１全体イメージを後述するディスプレイ部２０にすべて表示すると、観察すべき領域以外の不要な部分もディスプレイ部２０に表示されて、観察すべき領域に対する確認がかえって困難になる。また、監視領域１全体に対する高解像度のイメージデータは必然的に大きいデータサイズを有するので、ディスプレイ部２０への伝送及びディスプレイ部２０の画像処理のために、高いハードウェアスペックを要求するという問題点がある。
【００４０】
よって、本実施例のカメラモジュール１０は、容易な観察及び効率的なデータ処理のためにデータ選択部１６を備え、観察しようとする領域に対するイメージデータを選択して出力することができる。
【００４１】
具体的に、図１に示されたように、本実施例のデータ選択部１６は、監視領域１で出力する領域の境界を決定するフレームを設定した後に、フレーム内部に配置された領域のイメージデータを選択することができる。
【００４２】
一方、データ選択部１６の領域選択機能は、従来の保安カメラが行ったパンニング（Ｐａｎｎｉｎｇ）及びティルティング（Ｔｉｌｔｉｎｇ）のような機械的駆動を代えることができる。また、データ選択部１６は観察領域６の大きさを調整してズーム機能を実現することもできる。これにより、監視装置のカメラモジュール１０で機械的な駆動装置が省略されるため、作動の信頼性が保障され、維持補修が容易となる。 また、図３に示すように、カメラモジュール１０がコンパクトな構造で構成されて製造コストが低減され、設置が容易となる。
【００４３】
図５に示すように、本実施例のデータ選択部１６は、監視領域１上でフレームの配置を自由に調整することができる。すなわち、機械的な駆動装置がなくても、パンニング及びティルティングをデジタル的に実現することができる。これにより、対象物５の移動時にも追跡して所望の観察領域６のイメージを得ることができる。
【００４４】
また、図６に示すように、本実施例のデータ選択部１６は、監視領域１上でフレームの大きさを自由に調整することもできる。すなわち、機械的なズーム装置がなくても、ズーム機能をデジタル的に実現することができる。これにより、対象物５に対する詳細なイメージ情報を得ることや、対象物５がフレームを逸脱するときにも容易に再度追跡することができる。
【００４５】
ディスプレイ部２０は、カメラモジュール１０から提供されたイメージを使用者が確認できるように表示するものである。
【００４６】
図１に示されたように、本実施例のディスプレイ部２０は、カメラモジュール１０で選択され出力されたイメージデータ２２の伝送を受けて、表示する。
【００４７】
一方、ディスプレイ部２０が遠隔地に位置する場合にも、選択されたイメージデータをディスプレイ部２０に出力できるように、カメラモジュール１０は、通信モジュールのようなデータ出力部１８をさらに含むことができる。
【００４８】
このとき、ディスプレイ部２０が遠隔地に位置していたり、画像処理速度などの問題のために連続して再生できるイメージデータのサイズが制限される場合は、本実施例のデータ選択部１６は、データ出力部１８から連続して出力可能なデータサイズに、出力するイメージデータを制限して選択することもできる。
【００４９】
制御部３０は、カメラモジュール１０が観察する領域のイメージを提供するように、カメラモジュール１０に観察領域６を指定して提供するものである。
【００５０】
図１に示されたように、本実施例の制御部３０は、観察する領域に対する情報データ３２をカメラモジュール１０に伝送する。
【００５１】
一方、制御部３０は、使用者により直接観察領域６が入力されるように、キーボード及びマウスのような入力部を含むことができる。
【００５２】
以上では、本発明の実施例を参照して説明したが、当該技術分野で通常の知識を有する者であれば、下記の特許請求の範囲に記載した本発明の思想及び領域から逸脱しない範囲内で本発明を多様に修正及び変更することができることを理解できよう。
【００５３】
上述した実施例以外の多くの実施例が本発明の特許請求範囲内に存在する。
【符号の説明】
【００５４】
１    監視領域
５    対象物
６    観察領域
１０  カメラモジュール
１２  レンズ部
１４  イメージ撮像部
１６  データ選択部
１８  データ出力部
２０  ディスプレイ部
３０  制御部
【図１】
2012010338.tif 000003
【図２】
2012010338.tif 000004
【図３】
2012010338.tif 000005
【図４】
2012010338.tif 000006
【図５】
2012010338.tif 000007
【図６】
2012010338.tif 000008